【手続補正書】
【提出日】平成21年6月3日(2009.6.3)
【手続補正１】
【補正対象書類名】特許請求の範囲
【補正対象項目名】請求項１
【補正方法】変更
【補正の内容】
【請求項１】
固定ナットに装着される固定ナット用防犯具と、該固定ナット用防犯具の装着状態を解除する装着解除具とから構成される固定ナット用着脱式防犯具であって、
前記固定ナット用防犯具は、
対象物に固定されているボルトが挿通可能な被固定物を当該ボルトと螺合する前記固定ナットで前記ボルトに固定した際、前記固定ナットの下端面と前記被固定物の表面との間に空隙を形成するスペース形成手段と、
天板部と該天板部の周縁部から下方に延在する複数枚の側壁部とを有し、前記固定ナットに冠着する冠着部材であって、前記複数枚の側壁部の下端部には、前記固定ナットに冠着した際、前記被固定物の表面と前記固定ナットの下端面との間に形成されている空隙部分に挿入可能なナット用係止爪が形成されている冠着部材と、
前記固定ナットに冠着した前記冠着部材の外側面部を覆う中空円筒状の周壁部材であって、該周壁部材の内周壁面の下端部には、内側方向に突設され前記冠着部材の側壁部を押圧する円状突起部が形成され、前記内周壁面の上端部には、内側方向に突設された円状鍔部であって複数個の切欠部を有する円状鍔部が形成されている周壁部材とから構成され、  前記冠着部材には、前記周壁部材の前記円状突起部の上面部分に係合する周壁部材用係止爪であって、前記天板部の周縁部から下方に延在する周壁部材用係止爪が形成され、
前記周壁部材の内側には、当該周壁部材の内径と略同じ外径を有し、内径が前記円状突起部の内径以下であるリングが遊嵌状態で配設され、
前記装着解除具は、
前記周壁部材の前記円状鍔部の内側に形成されている開口に挿入可能な底面部が本体の下部に配設され、
当該底面部には、その周縁から外側方向に延在し、前記円状鍔部の前記複数個の切欠部のそれぞれに嵌合可能な複数個の係合腕部が形成され、
当該係合腕部の先端部には、鉛直方向下方に延在する押下脚部であって、該押下脚部の全長と前記リングの厚みとの合計長が、前記周壁部材の前記円状突起部の上縁部と円状鍔部の下縁部との距離以下となるようにその全長が選ばれている押下脚部が配設されていることを特徴とする固定ナット用着脱式防犯具。
【手続補正２】
【補正対象書類名】特許請求の範囲
【補正対象項目名】請求項４
【補正方法】変更
【補正の内容】
【請求項４】
固定ボルトの頭部に装着される固定ボルト用防犯具と、該固定ボルト用防犯具の装着状態を解除する装着解除具とから構成される固定ボルト用着脱式防犯具であって、
前記固定ボルト用防犯具は、
前記固定ボルトが挿通可能な被固定物を当該固定ボルトと螺合する雌ネジ部を有する対象物に前記固定ボルトで固定した際、前記固定ボルトの頭部の下端面と前記被固定物の表面との間に空隙を形成するスペース形成手段と、
天板部と該天板部の周縁部から下方に延在する複数枚の側壁部とを有し、前記固定ボルトの頭部に冠着する冠着部材であって、前記複数枚の側壁部の下端部には、前記固定ボルトの頭部に冠着した際、前記被固定物の表面と前記固定ボルトの頭部の下端面との間に形成されている空隙部分に挿入可能なボルト用係止爪が形成されている冠着部材と、
前記固定ボルトの頭部に冠着した前記冠着部材の外側面部を覆う中空円筒状の周壁部材であって、該周壁部材の内周壁面の下端部には、内側方向に突設され前記冠着部材の側壁部を押圧する円状突起部が形成され、前記内周壁面の上端部には、内側方向に突設された円状鍔部であって複数個の切欠部を有する円状鍔部が形成されている周壁部材とから構成され、
前記冠着部材には、前記周壁部材の前記円状突起部の上面部分に係合する周壁部材用係止爪であって、前記天板部の周縁部から下方に延在する周壁部材用係止爪が形成され、
前記周壁部材の内側には、当該周壁部材の内径と略同じ外径を有し、内径が前記円状突起部の内径以下であるリングが遊嵌状態で配設され、
前記装着解除具は、
前記周壁部材の前記円状鍔部の内側に形成されている開口に挿入可能な底面部が本体の下部に配設され、
当該底面部には、その周縁から外側方向に延在し、前記円状鍔部の前記複数個の切欠部のそれぞれに嵌合可能な複数個の係合腕部が形成され、
当該係合腕部の先端部には、鉛直方向下方に延在する押下脚部であって、該押下脚部の全長と前記リングの厚みとの合計長が、前記周壁部材の前記円状突起部の上縁部と円状鍔部の下縁部との距離以下となるようにその全長が選ばれている押下脚部が配設されていることを特徴とする固定ボルト用着脱式防犯具。
【手続補正３】
【補正対象書類名】明細書
【補正対象項目名】００１８
【補正方法】変更
【補正の内容】
【００１８】
このように固定ナット４を外部に露出させれば、ボックスレンチ等の一般の器具を用いて固定ナット４を簡単に外すことができる。
【手続補正４】
【補正対象書類名】明細書
【補正対象項目名】００２２
【補正方法】変更
【補正の内容】
【００２２】
以上の問題を解決するために本発明は、固定ナットに装着される固定ナット用防犯具と、該固定ナット用防犯具の装着状態を解除する装着解除具とから構成される固定ナット用着脱式防犯具であって、前記固定ナット用防犯具は、対象物に固定されているボルトが挿通可能な被固定物を当該ボルトと螺合する前記固定ナットで前記ボルトに固定した際、前記固定ナットの下端面と前記被固定物の表面との間に空隙を形成するスペース形成手段と、天板部と該天板部の周縁部から下方に延在する複数枚の側壁部とを有し、前記固定ナットに冠着する冠着部材であって、前記複数枚の側壁部の下端部には、前記固定ナットに冠着した際、前記被固定物の表面と前記固定ナットの下端面との間に形成されている空隙部分に挿入可能なナット用係止爪が形成されている冠着部材と、前記固定ナットに冠着した前記冠着部材の外側面部を覆う中空円筒状の周壁部材であって、該周壁部材の内周壁面の下端部には、内側方向に突設され前記冠着部材の側壁部を押圧する円状突起部が形成され、前記内周壁面の上端部には、内側方向に突設された円状鍔部であって複数個の切欠部を有する円状鍔部が形成されている周壁部材とから構成され、前記冠着部材には、前記周壁部材の前記円状突起部の上面部分に係合する周壁部材用係止爪であって、前記天板部の周縁部から下方に延在する周壁部材用係止爪が形成され、前記周壁部材の内側には、当該周壁部材の内径と略同じ外径を有し、内径が前記円状突起部の内径以下であるリングが遊嵌状態で配設され、前記装着解除具は、前記周壁部材の前記円状鍔部の内側に形成されている開口に挿入可能な底面部が本体の下部に配設され、当該底面部には、その周縁から外側方向に延在し、前記円状鍔部の前記複数個の切欠部のそれぞれに嵌合可能な複数個の係合腕部が形成され、当該係合腕部の先端部には、鉛直方向下方に延在する押下脚部であって、該押下脚部の全長と前記リングの厚みとの合計長が、前記周壁部材の前記円状突起部の上縁部と円状鍔部の下縁部との距離以下となるようにその全長が選ばれている押下脚部が配設されていることを特徴とするものである。ここで、前記スペース形成手段は、前記固定ナットの下端面に当接する前記固定ボルトが挿通可能なスペーサであってもよいし、また、前記スペース形成手段は、前記固定ナットの下面側に当該固定ナットと一体的に形成されたテーパー部であってもよい。
【手続補正５】
【補正対象書類名】明細書
【補正対象項目名】００２３
【補正方法】変更
【補正の内容】
【００２３】
また、以上の問題を解決するために本発明は、固定ボルトの頭部に装着される固定ボルト用防犯具と、該固定ボルト用防犯具の装着状態を解除する装着解除具とから構成される固定ボルト用着脱式防犯具であって、前記固定ボルト用防犯具は、前記固定ボルトが挿通可能な被固定物を当該固定ボルトと螺合する雌ネジ部を有する対象物に前記固定ボルトで固定した際、前記固定ボルトの頭部の下端面と前記被固定物の表面との間に空隙を形成するスペース形成手段と、天板部と該天板部の周縁部から下方に延在する複数枚の側壁部とを有し、前記固定ボルトの頭部に冠着する冠着部材であって、前記複数枚の側壁部の下端部には、前記固定ボルトの頭部に冠着した際、前記被固定物の表面と前記固定ボルトの頭部の下端面との間に形成されている空隙部分に挿入可能なボルト用係止爪が形成されている冠着部材と、前記固定ボルトの頭部に冠着した前記冠着部材の外側面部を覆う中空円筒状の周壁部材であって、該周壁部材の内周壁面の下端部には、内側方向に突設され前記冠着部材の側壁部を押圧する円状突起部が形成され、前記内周壁面の上端部には、内側方向に突設された円状鍔部であって複数個の切欠部を有する円状鍔部が形成されている周壁部材とから構成され、前記冠着部材には、前記周壁部材の前記円状突起部の上面部分に係合する周壁部材用係止爪であって、前記天板部の周縁部から下方に延在する周壁部材用係止爪が形成され、前記周壁部材の内側には、当該周壁部材の内径と略同じ外径を有し、内径が前記円状突起部の内径以下であるリングが遊嵌状態で配設され、前記装着解除具は、前記周壁部材の前記円状鍔部の内側に形成されている開口に挿入可能な底面部が本体の下部に配設され、当該底面部には、その周縁から外側方向に延在し、前記円状鍔部の前記複数個の切欠部のそれぞれに嵌合可能な複数個の係合腕部が形成され、当該係合腕部の先端部には、鉛直方向下方に延在する押下脚部であって、該押下脚部の全長と前記リングの厚みとの合計長が、前記周壁部材の前記円状突起部の上縁部と円状鍔部の下縁部との距離以下となるようにその全長が選ばれている押下脚部が配設されていることを特徴とするものである。ここで、前記スペース形成手段は、前記固定ボルトの頭部の下端面に当接する前記固定ボルトが挿通可能なスペーサであってもよい。
【手続補正６】
【補正対象書類名】明細書
【補正対象項目名】００３２
【補正方法】変更
【補正の内容】
【００３２】
図１，図２に示した複数個の係合腕部７１のそれぞれの先端部には、図５に示すような鉛直方向下方に延在する押下脚部７２が配設されている。